(57)【要約】【課題】伝送経路の検索の自動化を図ること。【解決手段】ＷＤＭ装置は、ネットワーク内の特定のＷＤＭ装置の識別情報と、特定のＷＤＭ装置からの時計回り方向と、時計回り方向での転送元の識別情報と、転送元の特定のＷＤＭ装置からの時計回り方向による伝送順と、を含む第１の検索データを、転送元から受信し、第１の検索データのうち、転送元の識別情報を自装置の識別情報に更新し、伝送順を自装置の特定のＷＤＭ装置からの時計回り方向による伝送順に更新することにより、第２の検索データを生成し、第２の検索データを時計回り方向での転送先に送信し、第２の検索データのうち、時計回り方向を特定のＷＤＭ装置への反時計回り方向に変換することにより、第１の回答データを生成し、生成された第１の回答データを、転送元に送信し、転送先において生成された第２の回答データを受信する。【選択図】図１
2014132715.tif 000002
【特許請求の範囲】
【請求項１】
複数の伝送装置により構成されるネットワーク内の特定の伝送装置の識別情報と、前記特定の伝送装置からの第１の伝送方向を示す方向情報と、前記第１の伝送方向によって自装置に対し転送元となる伝送装置の識別情報と、前記転送元となる伝送装置の前記特定の伝送装置からの前記第１の伝送方向による伝送順を示す順序情報と、を含む第１の検索データを、前記転送元となる伝送装置から受信する第１の受信部と、
前記第１の受信部によって前記第１の検索データが受信された場合、前記第１の検索データのうち、前記転送元となる伝送装置の識別情報を前記自装置の識別情報に更新するとともに、前記順序情報を前記自装置の前記特定の伝送装置からの前記第１の伝送方向による伝送順を示す順序情報に更新することにより、第２の検索データを生成する検索データ生成部と、
前記検索データ生成部によって生成された第２の検索データを前記第１の伝送方向によって前記自装置に対し転送先となる伝送装置に送信する第１の送信部と、
前記第２の検索データのうち、前記方向情報を前記特定の伝送装置への第２の伝送方向を示す方向情報に変換することにより、第１の回答データを生成する回答データ生成部と、
前記回答データ生成部によって生成された第１の回答データを、前記転送元となる伝送装置に送信する第２の送信部と、
前記転送先となる伝送装置において生成された第２の回答データを受信する第２の受信部と、
を含むことを特徴とする伝送装置。
【請求項２】
前記回答データ生成部は、さらに、前記自装置が使用する波長を示す波長情報を付加することにより、前記第１の回答データを生成することを特徴とする請求項１に記載の伝送装置。
【請求項３】
前記第２の受信部によって受信された前記第２の回答データを前記転送元となる伝送装置に送信する第３の送信部を有することを特徴とする請求項１または２に記載の伝送装置。
【請求項４】
前記検索データ生成部は、前記自装置が前記特定の伝送装置である場合、前記第１の検索データを生成し、
前記第１の送信部は、前記検索データ生成部によって生成された前記第１の検索データを前記転送先となる伝送装置に送信することを特徴とする請求項１または２に記載の伝送装置。
【請求項５】
前記自装置が前記特定の伝送装置である場合、前記第２の回答データの受信から所定時間経過するまでの間に、あらたに前記第２の回答データが受信されたか否かを判定する判定部を有し、
前記第３の送信部は、前記判定部によって受信されなかったと判定された場合、経路検索要求を指示した指示元装置に対し、前記検索要求の指示の受け付けから前記所定時間経過時までに受信した前記第２の回答データを送信することを特徴とする請求項３に記載の伝送装置。
【請求項６】
ネットワークを構成する複数の伝送装置の中のいずれかの伝送装置が、
複数の伝送装置により構成されるネットワーク内の特定の伝送装置の識別情報と、前記特定の伝送装置からの第１の伝送方向を示す方向情報と、前記第１の伝送方向によって前記いずれかの伝送装置に対し転送元となる伝送装置の識別情報と、前記転送元となる伝送装置の前記特定の伝送装置からの前記第１の伝送方向による伝送順を示す順序情報と、を含む第１の検索データを、前記転送元となる伝送装置から受信する第１の受信工程と、
前記第１の受信工程によって前記第１の検索データが受信された場合、前記第１の検索データのうち、前記転送元となる伝送装置の識別情報を前記いずれかの伝送装置の識別情報に更新するとともに、前記順序情報を前記いずれかの伝送装置の前記特定の伝送装置からの前記第１の伝送方向による伝送順を示す順序情報に更新することにより、第２の検索データを生成する検索データ生成工程と、
前記検索データ生成工程によって生成された第２の検索データを前記第１の伝送方向によって前記いずれかの伝送装置に対し転送先となる伝送装置に送信する第１の送信工程と、
前記第２の検索データのうち、前記方向情報を前記特定の伝送装置への第２の伝送方向を示す方向情報に変換することにより、第１の回答データを生成する回答データ生成工程と、
前記回答データ生成工程によって生成された第１の回答データを、前記転送元となる伝送装置に送信する第２の送信工程と、
前記転送先となる伝送装置において生成された第２の回答データを受信する第２の受信工程と、
を含むことを特徴とする検索方法。
【請求項７】
前記回答データ生成工程は、さらに、前記いずれかの伝送装置が使用する波長を示す波長情報を付加することにより、前記第１の回答データを生成することを特徴とする請求項６に記載の検索方法。
【請求項８】
前記第２の受信工程によって受信された前記第２の回答データを、前記転送元となる伝送装置に送信する第３の送信工程を含むことを特徴とする請求項６または７に記載の検索方法。
【請求項９】
前記検索データ生成工程は、前記いずれかの伝送装置が前記特定の伝送装置である場合、前記第１の検索データを生成し、
前記第１の送信工程は、前記検索データ生成工程によって生成された前記第１の検索データを前記転送先となる伝送装置に送信することを特徴とする請求項６または７に記載の検索方法。
【請求項１０】
前記いずれかの伝送装置が前記特定の伝送装置である場合、前記第２の回答データの受信から所定時間経過するまでの間に、あらたに前記第２の回答データが受信されたか否かを判定する判定工程を含み、
前記第３の送信工程は、前記判定工程によって受信されなかったと判定された場合、伝送経路の検索要求を指示した指示元装置に対し、前記検索要求の指示の受け付けから前記所定時間経過時までに受信した前記第２の回答データを送信することを特徴とする請求項７に記載の検索方法。
【発明の詳細な説明】
【技術分野】
【０００１】
本発明は、データを伝送する伝送装置およびデータの伝送経路を検索する検索方法に関する。
【背景技術】
【０００２】
従来、接続拠点の変更やネットワーク変更を行う波長貸出しサービスシステムが開示されている（下記特許文献１を参照。）。特許文献１の技術では、ユーザ（Ａ）は波長＃１及び波長＃２の占有的な使用権をネットワーク運用者との間で設定する。つぎに、ユーザ（Ａ）は、管理装置に対してＷＤＭ（Ｗａｖｅｌｅｎｇｔｈ  Ｄｉｖｉｓｉｏｎ  Ｍｕｌｔｉｐｌｅｘｉｎｇ）装置１−１で波長＃１を出力しかつ波長＃２を受信する要求を、ＷＤＭ装置１−３で波長＃１を受信しかつ波長＃２を送信する要求を行う。管理装置はＷＤＭ装置１−１，１−３に対して出力及び選択波長の設定を行う。
【０００３】
ユーザ（Ｂ）は波長＃３及び波長＃４の占有的な使用権をネットワーク運用者との間で設定し、管理装置に対して、ＷＤＭ装置１−２で波長＃３を出力しかつ波長＃４を受信する要求を、ＷＤＭ装置１−４で波長＃３を受信しかつ波長＃４を送信する要求を行う。管理装置２はＷＤＭ装置１−２，１−４に対して出力及び選択波長の設定を行う。
【先行技術文献】
【特許文献】
【０００４】
【特許文献１】特開２００４−２６０５０２号公報
【発明の概要】
【発明が解決しようとする課題】
【０００５】
ＷＤＭ装置の設置場所に何らかの支障があった場合には設置場所の移動や、光ケーブルの接続替えといった変更作業を行うことがある。このような場合は、ネットワーク管理者は、変更作業の対象となるＷＤＭ装置がどのＷＤＭ装置に接続しているかを事前に確認する。そして、ネットワーク管理者は、変更作業の対象となるＷＤＭ装置が光ケーブル接続を断とすることにより信号断となることを、変更作業の対象となるＷＤＭ装置の設置場所にいる管理者に予め通知し、当該管理者に信号断発生時の対応準備をして貰う必要がある。このため、変更作業のためには、変更作業の対象となるＷＤＭ装置の伝送経路を明確にする必要がある。
【０００６】
しかしながら、人手にて伝送経路を設計しＷＤＭ装置を接続した場合、管理データの記入間違いや修正漏れ等の人的ミスもあるため、データ上管理している伝送経路に関する情報に誤りがある場合がある。したがって、このような伝送経路に関する誤った情報を用いて変更作業をおこなうと、接続替えをおこなった後の伝送経路が意図した経路にならず、データの誤伝送が生じることになる。
【０００７】
本発明は、伝送経路の検索の自動化を図ることを目的とする。
【課題を解決するための手段】
【０００８】
本願において開示される発明の一側面となる伝送装置および検索方法は、複数の伝送装置により構成されるネットワーク内の特定の伝送装置の識別情報と、前記特定の伝送装置からの第１の伝送方向を示す方向情報と、前記第１の伝送方向によって自装置に対し転送元となる伝送装置の識別情報と、前記転送元となる伝送装置の前記特定の伝送装置からの前記第１の伝送方向による伝送順を示す順序情報と、を含む第１の検索データを、前記転送元となる伝送装置から受信し、前記第１の検索データが受信された場合、前記第１の検索データのうち、前記転送元となる伝送装置の識別情報を前記自装置の識別情報に更新するとともに、前記順序情報を前記自装置の前記特定の伝送装置からの前記第１の伝送方向による伝送順を示す順序情報に更新することにより、第２の検索データを生成し、生成された第２の検索データを前記第１の伝送方向によって前記自装置に対し転送先となる伝送装置に送信し、前記第２の検索データのうち、前記方向情報を前記特定の伝送装置への第２の伝送方向を示す方向情報に変換することにより、第１の回答データを生成し、生成された第１の回答データを、前記転送元となる伝送装置に送信し、前記転送先となる伝送装置において生成された第２の回答データを受信する。
【発明の効果】
【０００９】
本発明の代表的な実施の形態によれば、伝送経路の検索の自動化を図ることができる。前述した以外の課題、構成及び効果は、以下の実施例の説明により明らかにされる。
【図面の簡単な説明】
【００１０】
【図１】複数のＷＤＭ装置の接続例を示す説明図である。
【図２】ＷＤＭ装置のハードウェア構成例を示すブロック図である。
【図３】光電変換部の詳細なハードウェア構成例を示すブロック図である。
【図４】本実施例において伝送される伝送データの構造例を示す説明図である。
【図５】図１に示したネットワークの時計回りでの検索処理を示すシーケンス図である。
【図６】管理装置による回答データの解析例１を示す説明図である。
【図７】図１に示したネットワークの反時計回りでの検索処理を示すシーケンス図である。
【図８】管理装置による回答データの解析例２を示す説明図である。
【図９】ＷＤＭ装置の機能的構成例を示すブロック図である。
【図１０】本実施例にかかるＷＤＭ装置による検索処理手順例を示すフローチャートである。
【図１１】図１０に示した検索要求元のデータ処理（ステップＳ１００２）の詳細な処理手順例を示すフローチャートである。
【図１２】図１０に示した検索要求先のデータ処理（ステップＳ１００３）の詳細な処理手順例を示すフローチャートである。
【図１３】管理装置のデータベースの記憶内容例を示す説明図である。
【図１４】管理装置のデータベースの更新内容例を示す説明図である。
【図１５】Ｂａｃｋ  ｔｏ  Ｂａｃｋ接続となるネットワーク接続例を示す説明図である。
【図１６】図１５に示したＷＤＭ装置ｗ６、ｗ９のハードウェア構成例を示すブロック図である。
【図１７】図１６に示した光電変換部２０５０、２０６０の詳細なハードウェア構成例を示すブロック図である。
【発明を実施するための形態】
【００１１】
＜接続例＞
図１は、複数のＷＤＭ装置の接続例を示す説明図である。図１の接続例は、例として８台のＷＤＭ装置がリング状に接続されたネットワークＮ１の例である。各ＷＤＭ装置ｗ１〜ｗ８は、光波長の異なる複数の信号を多重化して接続先のＷＤＭ装置ｗ１〜ｗ８や例えばＬＡＮ（Ｌｏｃａｌ  Ａｒｅａ  Ｎｅｔｗｏｒｋ）などの下位ネットワークｎ１〜ｎ８に伝送する伝送装置である。ＷＤＭ装置ｗ１〜ｗ８のいずれかのＷＤＭ装置を、ＷＤＭ装置ｗとし、ＷＤＭ装置ｗの下位ネットワークを、下位ネットワークｎとする。ＷＤＭ装置ｗ間を接続する線は、たとえば、光ケーブルである。ＷＤＭ装置ｗは、送受信２本の光ケーブルにより接続相手のＷＤＭ装置ｗと接続される。図１においては、内側の時計回りとなる伝送方向と、外側の反時計回りとなる伝送方向がある。図１の×印は、ＷＤＭ装置ｗ４とＷＤＭ装置ｗ５との間の時計回りの光ケーブルに故障があることを示す。
【００１２】
また、管理装置Ｍは、各ＷＤＭ装置に接続され、各ＷＤＭ装置を制御する。たとえば、管理装置Ｍは、検索したい経路の始点となるＷＤＭ装置に対し、検索要求を送信する。検索要求を受け付けたＷＤＭ装置が、検索要求元のＷＤＭ装置となる。これにより、いずれのＷＤＭ装置に対しても、伝送経路の始点として経路検索をおこなうことができる。なお、ネットワークの接続例は、リング状である必要はない。また、ＷＤＭ装置の台数は８台に限らず、複数台であればよい。
【００１３】
＜ＷＤＭ装置のハードウェア構成例＞
図２は、ＷＤＭ装置ｗのハードウェア構成例を示すブロック図である。ＷＤＭ装置ｗは、２つの光分波器２０１，２０２と、２つの光合波器２０３，２０４と、複数の光電変換部２０５，２０６と、制御部２０７と、を有する。光分波器は、入力されてくる伝送データを光波長ごとに分波する。光合波器は、出力されるべき光波長が異なる伝送データ群を合波して、合波された伝送データを出力する。
【００１４】
光電変換部は光波長ごとに設けられる。光電変換部は、電気的な伝送データを光的な伝送データに変換し、光的な伝送データを電気的な伝送データに変換する。光電変換部２０５と光電変換部２０６は同数であり、同一光波長どうしで接続される。制御部２０７は、管理装置Ｍと各光電変換部２０５，２０６とに接続される。制御部２０７は光電変換部２０５，２０６を制御する。
【００１５】
たとえば、制御部２０７は、管理装置Ｍからの指示により、光電変換部２０５，２０６のＯＮ／ＯＦＦを切り替える。したがって、ＯＦＦになった光電変換部２０５，２０６があると、その光波長の光データが電気的なデータに変換できなくなり、また、電気的なデータをその光波長の光データに変換できなくなる。これにより、特定の光波長のデータのみを送受信することができる。制御部２０７は、たとえば、ＦＰＧＡ（Ｆｉｅｌｄ  Ｐｒｏｇｒａｍｍａｂｌｅ  Ｇａｔｅ  Ａｒｒａｙ）により構成される。制御部２０７の制御内容については後述する。
【００１６】
図３は、光電変換部２０５，２０６の詳細なハードウェア構成例を示すブロック図である。光電変換部２０５は、Ｏ／Ｅ変換器３０１と、Ｅ／Ｏ変換器３０３と、データ処理部３０５と、インターフェース３０７と、を有する。Ｏ／Ｅ変換器３０１は、光分波器２０１から分波された光的な伝送データを、電気的な伝送データに変換する。Ｅ／Ｏ変換器３０３は、光電変換部２０５の内部にある電気的な伝送データを、光的な伝送データに変換して、光合波器２０３に出力する。データ処理部３０５は、制御部２０７からの制御により伝送データの生成や更新をおこなう。
【００１７】
また、データ処理部３０５は、データ処理部３０６に電気的な伝送データを送信したり、データ処理部３０６からの電気的な伝送データを受信する。また、データ処理部３０５は、光波長の選択をおこなう。データ処理部３０５は、たとえば、ＦＰＧＡにより構成される。インターフェース３０７は、下位ネットワークｎに対しデータ処理部３０５からの電気的な伝送データを送信したり、下位ネットワークｎから電気的な伝送データを受信してデータ処理部３０５に渡す。
【００１８】
光電変換部２０６は、Ｏ／Ｅ変換器３０２と、Ｅ／Ｏ変換器３０４と、データ処理部３０６と、インターフェース３０８と、を有する。Ｏ／Ｅ変換器３０２は、光分波器２０２から分波された光的な伝送データを、電気的な伝送データに変換する。Ｅ／Ｏ変換器３０４は、光電変換部２０６の内部にある電気的な伝送データを、光的な伝送データに変換して、光合波器２０４に出力する。データ処理部３０６は、制御部２０７からの制御により伝送データの生成や更新をおこなう。
【００１９】
また、データ処理部３０６は、データ処理部３０５に電気的な伝送データを送信したり、データ処理部３０５からの電気的な伝送データを受信する。また、データ処理部３０６は、光波長の選択をおこなう。データ処理部３０６は、たとえば、ＦＰＧＡにより構成される。インターフェース３０８は、下位ネットワークｎに対しデータ処理部３０６からの電気的な伝送データを送信したり、下位ネットワークｎから電気的な伝送データを受信してデータ処理部３０６に渡す。
【００２０】
＜データの構造例＞
図４は、本実施例において伝送される伝送データの構造例を示す説明図である。図４において矢印は伝送方向である。伝送データは、オーバーヘッドと、データ部と、ＦＥＣ（Ｆｏｒｗａｒｄ  Ｅｒｒｏｒ  Ｃｏｒｒｅｃｔｉｏｎ）と、を有する。ＦＥＣは、伝送誤り訂正用データのほか、検索要求フラグと、送受識別フラグと、検索要求ＷＤＭ装置番号と、経路接続ＷＤＭ装置番号と、検索要求元からのＷＤＭ装置追番と、光波長情報と、を有する。
【００２１】
検索要求フラグとは、伝送経路の検索要求中であるか否かを識別するフラグである。検索要求中である場合は「１」、それ以外は「０」となる。検索要求フラグは、たとえば、伝送経路の始点となる検索要求元のＷＤＭ装置により設定される。
【００２２】
送受識別フラグとは、検索要求元であるＷＤＭ装置からの検索要求を示す伝送データであるか、検索要求に対する検索要求元であるＷＤＭ装置への回答を示す伝送データであるかを識別するフラグである。送受識別フラグは、たとえば、検索要求を示す場合は「１」（または「送」）、回答を示す場合は「０」（または「受」）となる。送受識別フラグは、伝送データを受信したＷＤＭ装置により設定される。なお、送受識別フラグが「１」の伝送データを「検索データ」と称し、送受識別フラグが「０」の伝送データを「回答データ」と称す。
【００２３】
検索要求ＷＤＭ装置番号とは、回答データが検索要求元のＷＤＭ装置から要求した検索データに対応する伝送データであるか否かを識別するための番号である。すなわち、検索要求元のＷＤＭ装置が回答データを受信した場合、自装置のＷＤＭ装置番号と回答データにおける検索要求ＷＤＭ装置番号とが一致していれば、自装置の検索要求に応じた回答データであることがわかる。なお。ＷＤＭ装置の装置番号はあらかじめ各ＷＤＭ装置に設定されているものとする。本実施例では、ＷＤＭ装置番号として符号を用いる。検索要求ＷＤＭ装置番号は、検索要求元のＷＤＭ装置により設定される。
経路接続ＷＤＭ装置番号とは、検索データを中継したＷＤＭ装置を識別する番号である。検索データを受信したＷＤＭ装置が、自装置の番号を経路接続ＷＤＭ装置番号に設定し、転送先のＷＤＭ装置に対し、設定後の検索データを送信する。また、検索データを受信したＷＤＭ装置が、自装置の番号を経路接続ＷＤＭ装置番号に設定し、転送元のＷＤＭ装置に対し、設定後の回答データを送信する。
【００２４】
検索要求元からのＷＤＭ装置追番（以下、単に「追番」）とは、検索要求元のＷＤＭ装置から何番目に伝送データを伝送したかを示す連続した通し番号である。追番は、検索要求元のＷＤＭ装置において「１」が設定され、検索データがＷＤＭ装置に中継される都度、中継したＷＤＭ装置において１だけインクリメントされる。回答データではインクリメントされない。
【００２５】
光波長情報とは、検索データを中継したＷＤＭ装置において検索対象となる伝送経路で使用される光波長を識別する情報である。光波長は、ＷＤＭ装置内で使用された光電変換部に対応する光波長である。光波長情報は、検索データを中継したＷＤＭ装置が送信する回答データに対し設定される。なお、本実施例では、一例として、ＷＤＭ装置ｗ１における検索データの光波長情報λ１の値（光波長）をλ１＝１とする。
【００２６】
＜検索シーケンス＞
図５は、図１に示したネットワークＮ１の時計回りでの検索処理を示すシーケンス図である。なお、図５（後述の図７も同様）において、検索データの符号を、Ｄａ（検索データの生成元となるＷＤＭ装置の符号）とする。たとえば、ＷＤＭ装置ｗ１が生成した検索データはＤａ（ｗ１）となる。検索データは、左から、検索要求フラグ、送受識別フラグ、検索要求ＷＤＭ装置番号、経路接続ＷＤＭ装置番号、追番を示す。灰色の箇所はそのＷＤＭ装置において設定された情報であることを示す。たとえば、検索データＤａ（ｗ１）の場合、「１」、「送」、「ｗ１」、「ｗ１」、「１」である。なお、いずれかの検索データを単にＤａと称する。
【００２７】
また、回答データの符号を、Ｄｂ（回答データの生成元となるＷＤＭ装置の符号）とする。たとえば、ＷＤＭ装置ｗ２が生成した検索データはＤｂ（ｗ２）となる。回答データは、左から、検索要求フラグ、送受識別フラグ、検索要求ＷＤＭ装置番号、経路接続ＷＤＭ装置番号、追番、光波長情報を示す。灰色の箇所はそのＷＤＭ装置において設定された情報であることを示す。たとえば、回答データＤｂ（ｗ２）の場合、「１」、「受」、「ｗ１」、「ｗ２」、「２」、「λ２」である。なお、いずれかの回答データを単にＤｂと称する。
【００２８】
まず、管理装置Ｍが、検索したい伝送経路の始点となるＷＤＭ装置に対し、検索要求を送信する（ステップＳ５００）。検索要求を受け付けたＷＤＭ装置ｗ１は、検索データＤａ（ｗ１）を生成して、転送先であるＷＤＭ装置ｗ２に送信する（ステップＳ５０１）。
【００２９】
ＷＤＭ装置ｗ２は、検索データＤａ（ｗ１）を受信すると、検索データＤａ（ｗ１）の経路接続ＷＤＭ装置番号を自装置の番号に更新する。また、ＷＤＭ装置ｗ２は、検索データＤａ（ｗ１）の追番をインクリメントする。これにより検索データＤａ（ｗ２）が生成される。ＷＤＭ装置ｗ２は、生成した検索データＤａ（ｗ２）を転送先であるＷＤＭ装置ｗ３に送信する（ステップＳ５０２）。
【００３０】
ＷＤＭ装置ｗ３は、検索データＤａ（ｗ２）を受信すると、検索データＤａ（ｗ２）の経路接続ＷＤＭ装置番号を自装置の番号に更新する。また、ＷＤＭ装置ｗ３は、検索データＤａ（ｗ２）の追番をインクリメントする。これにより検索データＤａ（ｗ３）が生成される。ＷＤＭ装置ｗ３は、生成した検索データＤａ（ｗ３）を転送先であるＷＤＭ装置ｗ４に送信する（ステップＳ５０３）。
【００３１】
ＷＤＭ装置ｗ４は、検索データＤａ（ｗ３）を受信すると、検索データＤａ（ｗ３）の経路接続ＷＤＭ装置番号を自装置の番号に更新する。また、ＷＤＭ装置ｗ４は、検索データＤａ（ｗ３）の追番をインクリメントする。これにより検索データＤａ（ｗ４）が生成される。ＷＤＭ装置ｗ４は、生成した検索データＤａ（ｗ４）を転送先であるＷＤＭ装置ｗ５に送信する（ステップＳ５０４）。ただし、図１に示したように、ＷＤＭ装置ｗ４からＷＤＭ装置ｗ５へ伝送データを伝送する光ケーブルの故障により、検索データＤａ（ｗ４）は、ＷＤＭ装置ｗ５に到達しない。
また、ＷＤＭ装置ｗ２は、Ｓ５０２において検索データＤａ（ｗ２）を生成すると、生成した検索データＤａ（ｗ２）に波長情報λ２を付加した回答データＤｂ（ｗ２）を生成する。そして、ＷＤＭ装置ｗ２は、反時計回りの光ケーブルを利用して、検索データＤａ（ｗ１）の転送元であるＷＤＭ装置ｗ１に送信する（ステップＳ５０５）。
また、ＷＤＭ装置ｗ３は、Ｓ５０３において検索データＤａ（ｗ３）を生成すると、生成した検索データＤａ（ｗ３）に波長情報λ３を付加した回答データＤｂ（ｗ３）を生成する。そして、ＷＤＭ装置ｗ３は、反時計回りの光ケーブルを利用して、検索データＤａ（ｗ２）の転送元であるＷＤＭ装置ｗ２を介して検索要求元のＷＤＭ装置ｗ１に送信する（ステップＳ５０６）。
また、ＷＤＭ装置ｗ４は、Ｓ５０４において検索データＤａ（ｗ４）を生成すると、生成した検索データＤａ（ｗ４）に波長情報λ４を付加した回答データＤｂ（ｗ４）を生成する。そして、ＷＤＭ装置ｗ４は、反時計回りの光ケーブルを利用して、検索データＤａ（ｗ３）の転送元であるＷＤＭ装置ｗ３、検索データＤａ（ｗ２）の転送元であるＷＤＭ装置ｗ２を介して検索要求元のＷＤＭ装置ｗ１に送信する（ステップＳ５０７）。
【００３２】
また、検索要求元であるＷＤＭ装置ｗ１は、回答データＤｂを受信する都度、所定時間Ｔの計時を開始する。所定時間Ｔは、リングを構成するネットワークＮ１の構成及び伝送速度より、最大伝送時間とＷＤＭ装置内の処理時間を考慮した時間である。所定時間Ｔは、十分に長い時間（たとえば１０分）である。すなわち、所定時間Ｔ以内で回答データＤｂが受信されなければ、もう回答データＤｂは送信されてこないとみなし、ＷＤＭ装置ｗ１は回答データＤｂの受付を終了する。
【００３３】
ＷＤＭ装置ｗ１は、所定時間Ｔ以内にあらたに回答データＤｂが受信されると、その受信時から所定時間Ｔの計時を開始する。図５の例では、回答データＤｂ（ｗ４）の受信後所定時間Ｔ以内にあらたに回答データＤｂが受信されなかったため、ＷＤＭ装置は管理装置Ｍに対し終了通知を送信する（ステップＳ５０８）。
【００３４】
管理装置Ｍは、終了通知を受信すると、検索要求の送信先であるＷＤＭ装置ｗ１に対し、回答データの取得要求を送信する（ステップＳ５０９）。ＷＤＭ装置ｗ１は、受信した回答データＤｂ（ｗ２）、Ｄｂ（ｗ３）、Ｄｂ（ｗ４）を、ＷＤＭ装置ｗ１の光波長情報λ１（＝１）とともに管理装置Ｍに送信する（ステップＳ５１０）。これにより、管理装置Ｍは、回答データＤｂ（ｗ２）、Ｄｂ（ｗ３）、Ｄｂ（ｗ４）を収集して、検索結果である経路情報Ｒ１ａを取得することができる。
【００３５】
図６は、管理装置Ｍによる回答データの解析例１を示す説明図である。図５の例では、管理装置Ｍは、回答データＤｂ（ｗ２）、Ｄｂ（ｗ３）、Ｄｂ（ｗ４）を収集した。したがって、管理装置Ｍは、ＷＤＭ装置ｗ１を始点とした場合に、追番２のＷＤＭ装置ｗ２、追番３のＷＤＭ装置ｗ３，追番４のＷＤＭ装置ｗ４の順に接続された伝送経路Ｒａを検索することができる。また、管理装置Ｍは、ＷＤＭ装置ｗ２、ｗ３、ｗ４の光波長情報λ２、λ３、λ４も取得することができ、検索された伝送経路ＲａにおいてどのＷＤＭ装置ｗがどの光波長で伝送するかを確認することができる。なお、ＷＤＭ装置ｗ５には検索データＤａ（ｗ４）が到達していないため、ＷＤＭ装置ｗ５からは回答データＤｂが送信されない。したがって、検索対象となる伝送経路の終端は、ＷＤＭ装置ｗ４であることがわかる。
【００３６】
図７は、図１に示したネットワークＮ１の反時計回りでの検索処理を示すシーケンス図である。なお、図７のシーケンスは、図５のシーケンスの反時計回りを示したシーケンスであるため、詳細は省略する。図５との違いは、図１に示したように、反時計回りでは光ケーブルの故障個所がないため、検索データＤａが検索要求元であるＷＤＭ装置ｗ１に戻ってくる点である。具体的には、図７では、ＷＤＭ装置ｗ２からの検索データＤａ（ｗ２）が検索要求元であるＷＤＭ装置ｗ１に戻ってくる。ＷＤＭ装置ｗ１は、検索データＤａ（ｗ２）の検索要求ＷＤＭ装置番号により、検索データＤａが戻ってきたことを確認することができる。
【００３７】
したがって、ＷＤＭ装置ｗ１は、検索データＤａの転送はしない。また、回答データＤｂも送信しない。そして、ＷＤＭ装置ｗ１は、最後に受信した回答データＤｂである回答データＤｂ（ｗ２）の受信から所定時間Ｔ以内にあらたに回答データが受信されないため、図５の時計回りの場合と同様、ＷＤＭ装置ｗ１は管理装置Ｍに対し終了通知を送信する。
【００３８】
管理装置Ｍは、終了通知を受信すると、検索要求の送信先であるＷＤＭ装置ｗ１に対し、回答データの取得要求を送信する。ＷＤＭ装置ｗ１は、受信した回答データＤｂ（ｗ２）〜Ｄｂ（ｗ８）を、ＷＤＭ装置ｗ１の光波長情報λ１（＝１）とともに管理装置Ｍに送信する。これにより、管理装置Ｍは、回答データＤｂ（ｗ２）〜Ｄｂ（ｗ８）を収集して、検索結果である経路情報Ｒ１ｂを取得することができる。
【００３９】
図８は、管理装置Ｍによる回答データの解析例２を示す説明図である。図７の例では、管理装置Ｍは、回答データＤｂ（ｗ２）〜Ｄｂ（ｗ８）を収集した。したがって、管理装置Ｍは、ＷＤＭ装置ｗ１を始点とした場合に、追番２のＷＤＭ装置ｗ８、追番３のＷＤＭ装置ｗ７，…、追番７のＷＤＭ装置ｗ３、追番８のＷＤＭ装置ｗ２の順に接続された伝送経路Ｒｂを検索することができる。また、管理装置Ｍは、ＷＤＭ装置ｗ２〜ｗ８の光波長情報λ２〜λ８も取得することができ、検索された伝送経路ＲｂにおいてどのＷＤＭ装置ｗがどの光波長で伝送するかを確認することができる。
【００４０】
図９は、ＷＤＭ装置ｗの機能的構成例を示すブロック図である。図９において、ＷＤＭ装置ｗは、第１の受信部９０１と、検索データ生成部９０２と、第１の送信部９０３と、回答データ生成部９０４と、第２の送信部９０５と、第２の受信部９０６と、判定部９０７と、第３の受信部９０８と、を有する。図９に示した構成は、ＷＤＭ装置ｗを論理的に機能分けした例である。
【００４１】
第１の受信部９０１は、第１の検索データを転送元となる伝送装置から受信する。第１の検索データは、受信される検索データＤａである。本実施例の図５では、ＷＤＭ装置ｗ２の場合は、ＷＤＭ装置ｗ２が受信する検索データＤａ（ｗ１）である。
【００４２】
第１の検索データは、複数の伝送装置により構成されるネットワーク内の特定の伝送装置の識別情報を含む。複数の伝送装置とは、本実施例の図１では、ＷＤＭ装置ｗ１〜ｗ８である。複数の伝送装置により構成されるネットワークとは、本実施例では、図１に示すネットワークＮ１である。特定の伝送装置とは、本実施例では、管理装置Ｍから検索要求を受け付けたＷＤＭ装置ｗ１である。また、識別情報とは、本実施例では、図４、図５および図７に示した検索要求ＷＤＭ装置番号である。
【００４３】
第１の検索データは、特定の伝送装置からの第１の伝送方向を示す方向情報を含む。第１の伝送方向とは、本実施例では、伝送データが検索データである場合の伝送方向である。図５の例では、第１の伝送方向は時計回りの伝送方向であり、図７の例では第１の伝送方向は反時計回りの伝送方向である。方向情報とは、図４に示した送受識別フラグである。
【００４４】
第１の検索データは、第１の伝送方向によって自装置に対し転送元となる伝送装置の識別情報を含む。転送元となる伝送装置は、受信される検索データＤａの転送元となるＷＤＭ装置である。本実施例では、図５において、受信される伝送装置がＷＤＭ装置ｗ２であるとすると、転送元となる伝送装置はＷＤＭ装置ｗ１である。当該識別情報は、図４に示した経路接続ＷＤＭ装置番号である。
【００４５】
第１の検索データは、転送元となる伝送装置の特定の伝送装置からの第１の伝送方向による伝送順を示す順序情報を含む。伝送順を示す順序情報とは、本実施例では図４に示した追番である。なお、第１の受信部９０１は、具体的には、たとえば、図２に示した光分波器である。
【００４６】
検索データ生成部９０２は、第１の受信部９０１によって第１の検索データが受信された場合、第１の検索データから第２の検索データを生成する。具体的には、たとえば、検索データ生成部９０２は、ＷＤＭ装置ｗ１から検索データＤａ（ｗ１）を受信すると、検索データＤａ（ｗ１）から検索データＤａ（ｗ２）を生成する。
【００４７】
より具体的には、検索データ生成部９０２は、第１の検索データのうち、転送元となる伝送装置の識別情報を自装置の識別情報に更新する。たとえば、図５に示したＷＤＭ装置の場合、検索データ生成部９０２は、検索データＤａ（ｗ１）の経路接続ＷＤＭ装置番号「ｗ１」を「ｗ２」に更新する。また、検索データ生成部９０２は、順序情報を自装置の特定の伝送装置からの第１の伝送方向による伝送順を示す順序情報に更新する。たとえば、図５に示したＷＤＭ装置の場合、検索データ生成部９０２は、追番「１」をインクリメントして「２」に更新する。これにより、ＷＤＭ装置ｗ２は、第２の検索データである検索データＤａ（ｗ２）を生成する。
【００４８】
また、自装置が特定の伝送装置である場合、検索データ生成部９０２は、第１の検索データを生成する。具体的には、図５の例では、管理装置Ｍにより検索要求を受け付けたＷＤＭ装置ｗ１が特定の伝送装置となる。したがって、ＷＤＭ装置ｗ１は、管理装置Ｍからの検索要求を受け付けることにより、検索データＤａ（ｗ１）を生成する。なお、検索データ生成部９０２は、具体的には、たとえば、図３に示したデータ処理部である。
【００４９】
第１の送信部９０３は、検索データ生成部９０２によって生成された第２の検索データを第１の伝送方向によって自装置に対し転送先となる伝送装置に送信する。第１の伝送方向によって自装置に対し転送先となる伝送装置とは、図５に示したＷＤＭ装置ｗ２が自装置である場合、ＷＤＭ装置ｗ３である。なお、第１の送信部９０３は、具体的には、たとえば、図２に示した光合波器である。
【００５０】
回答データ生成部９０４は、第２の検索データのうち、方向情報を特定の伝送装置への第２の伝送方向を示す方向情報に変換することにより、第１の回答データを生成する。具体的には、第２の検索データが、図５に示した検索データＤａ（ｗ２）である場合、回答データ生成部９０４は、検索データＤａ（ｗ２）の送受識別フラグを「１」から「０」に更新する。更新後の伝送データが回答データＤｂ（ｗ２）となる。
【００５１】
また、回答データ生成部９０４は、自装置が使用する波長を示す波長情報を付加することにより、第１の回答データを生成する。具体的には、第２の検索データが、図５に示した検索データＤａ（ｗ２）である場合、回答データ生成部９０４は、検索データＤａ（ｗ２）に光波長情報「λ２」を付加する。付加後の伝送データが回答データＤｂ（ｗ２）となる。なお、回答データ生成部９０４は、具体的には、たとえば、図３に示したデータ処理部である。
【００５２】
第２の送信部９０５は、回答データ生成部９０４によって生成された第１の回答データを、転送元となる伝送装置に送信する。具体的には、図５に示したＷＤＭ装置ｗ２の場合、ＷＤＭ装置ｗ２は、回答データＤｂ（ｗ２）を、検索データＤａ（ｗ１）の転送元となるＷＤＭ装置ｗ１に送信する。なお、第２の送信部９０５は、具体的には、たとえば、図２に示した光合波器である。
【００５３】
第２の受信部９０６は、転送先となる伝送装置において生成された第２の回答データを受信する。具体的には、図５に示したＷＤＭ装置ｗ２の場合、検索データＤａ（ｗ２）の転送先となる伝送装置は、ＷＤＭ装置ｗ３である。したがって、ＷＤＭ装置ｗ２は、ＷＤＭ装置ｗ３において生成された回答データＤｂ（ｗ３）を受信する。なお、第２の受信部９０６は、具体的には、たとえば、図２に示した光分波器である。
【００５４】
第３の送信部９０８は、第２の受信部９０６によって受信された第２の回答データを転送元となる伝送装置に送信する。具体的には、図５に示したＷＤＭ装置ｗ２の場合、第３の受信部は、受信した回答データＤｂ（ｗ３）をＷＤＭ装置ｗ１に送信する。なお、第３の受信部は、具体的には、たとえば、図２に示した光分波器である。
【００５５】
判定部９０７は、自装置が特定の伝送装置である場合、第２の回答データの受信から所定時間経過するまでの間に、あらたに第２の回答データが受信されたか否かを判定する。所定時間とは、たとえば、図５に示した所定時間Ｔである。図５の例では、ＷＤＭ装置ｗ１の場合、判定部９０７は、回答データＤｂ（ｗ２）を受信すると所定時間Ｔの計時を開始する。判定部９０７は、所定時間Ｔ経過するまでにあらたに回答データＤｂが受信されたか否かを判定する。
【００５６】
図５の場合、所定時間Ｔを経過するまでに回答データＤｂ（ｗ３）を受信したため、判定部９０７は、受信されたと判定する。回答データＤｂ（ｗ３）についても同様である。一方、回答データＤｂ（ｗ４）が受信された場合、所定時間Ｔを経過するまでに回答データＤｂが受信されなかったため、判定部９０７は、受信されなかったと判定する。なお、判定部９０７は、具体的には、たとえば、図３に示したデータ処理部である。
【００５７】
第３の送信部９０８は、判定部９０７によって受信されなかったと判定された場合、経路検索要求を指示した指示元装置に対し、検索要求の指示の受け付けから所定時間経過時までに受信した第２の回答データを送信する。検索要求を指示した指示元装置とは、本実施例では、管理装置Ｍである。また、図５の例の場合、検索要求の指示の受け付けから所定時間経過時までに受信した第２の回答データとは、回答データＤｂ（ｗ２）、Ｄｂ（ｗ３）、Ｄｂ（ｗ４）である。なお、第３の送信部９０８は、具体的には、たとえば、図２に示した光合波器である。
【００５８】
＜検索処理手順＞
つぎに、本実施例にかかる検索処理手順例について、図１０〜図１２を用いて説明する。
【００５９】
図１０は、本実施例にかかるＷＤＭ装置ｗによる検索処理手順例を示すフローチャートである。図１０において、ＷＤＭ装置は、管理装置Ｍから検索要求を受け付けたか否かを判断する（ステップＳ１００１）。管理装置Ｍから検索要求を受けた場合（ステップＳ１００１：Ｙｅｓ）、ＷＤＭ装置は、検索要求元となるため、検索要求元のデータ処理を実行する（ステップＳ０Ｎ１２）。一方、管理装置Ｍから検索要求を受けていない場合（ステップＳ１００１：Ｎｏ）、ＷＤＭ装置は、検索要求先のデータ処理を実行する（ステップＳ１００３）。
【００６０】
図１１は、図１０に示した検索要求元のデータ処理（ステップＳ１００２）の詳細な処理手順例を示すフローチャートである。まず、ＷＤＭ装置は、検索データのＦＥＣに格納される検索要求フラグ、送受識別フラグ、検索要求ＷＤＭ装置番号、経路接続ＷＤＭ装置番号、および追番などのパラメータを初期化し（ステップＳ１１０１）、パラメータの初期値をＦＥＣに割り当てる（ステップＳ１１０２）。これにより、検索データが生成される。
【００６１】
つぎに、ＷＤＭ装置は、検索データを転送先のＷＤＭ装置に送信する（ステップＳ１１０３）。そして、ＷＤＭ装置は、自身が送信した検索データに対応する回答データを受信したか否かを判断する（ステップＳ１１０４）。回答データが受信された場合（ステップＳ１１０４：Ｙｅｓ）、ＷＤＭ装置は、受信した回答データを保持する（ステップＳ１１０５）。そして、ＷＤＭ装置は、所定時間Ｔの計時を開始し、所定時間Ｔが経過するか否かを判断する（ステップＳ１１０６）。所定時間Ｔが経過していない場合（ステップＳ１１０７：Ｎｏ）、ＷＤＭ装置は、自身が送信した検索データに対応する別の回答データを受信したか否かを判断する（ステップＳ１１０７）。
【００６２】
所定時間Ｔ以内に受信した場合（ステップＳ１１０７：Ｙｅｓ）、ステップＳ１１０５に戻って回答データを保持し（ステップＳ１１０５）、ＷＤＭ装置は再度所定時間Ｔの計時を開始する（ステップＳ１１０６）。一方、回答データを受信していない場合（ステップＳ１１０７：Ｎｏ）、ステップＳ１１０６に戻り、ＷＤＭ装置は所定時間Ｔが経過するか否かを判断する（ステップＳ１１０６）。
【００６３】
所定時間Ｔが経過した場合（ステップＳ１１０６：Ｙｅｓ）、ＷＤＭ装置は、これ以上回答データが得られないと判断して、管理装置Ｍに終了通知を送信する（ステップＳ１１０８）。管理装置Ｍは、ＷＤＭ装置から終了通知を受信すると、ＷＤＭ装置が収集した回答データを回収するため、回答データの取得要求を送信してくる。このため、ＷＤＭ装置は、管理装置Ｍからの回答データの取得要求を待ち受け（ステップＳ１１０９：Ｎｏ）、取得要求を受信した場合（ステップＳ１１０９：Ｙｅｓ）、ＷＤＭ装置は、収集した回答データを管理装置Ｍに送信する（ステップＳ１１１０）。これにより、検索要求元のデータ処理を終了する。
【００６４】
図１２は、図１０に示した検索要求先のデータ処理（ステップＳ１００３）の詳細な処理手順例を示すフローチャートである。まず、ＷＤＭ装置は、伝送データを受信できるまで待ち受ける（ステップＳ１２０１：Ｎｏ）。すなわち、伝送データ自体が受信されていなかったり、伝送データを光分波器に取り込んでも、ＷＤＭ装置に設定されている光波長でない場合は分波されないため、受信できないことになる。つぎに、伝送データを受信できた場合（ステップＳ１２０１：Ｙｅｓ）、受信した伝送データが検索要求中であるか否かを判断する（ステップＳ１２０２）。すなわち、ＷＤＭ装置は、受信した伝送データの検索要求フラグが「１」であるか「０」であるかを判断する。「１」の場合は検索要求中であり、「０」の場合は検索要求していない伝送データとなる。
【００６５】
検索要求中でない場合（ステップＳ１２０２：Ｎｏ）、検索要求先のデータ処理を終了する。一方、検索要求中である場合（ステップＳ１２０２：Ｙｅｓ）、ＷＤＭ装置は、伝送データの送受識別フラグが「送」であるか「受」であるかを判断する（ステップＳ１２０３）。
【００６６】
「送」である場合（ステップＳ１２０３：送）、伝送データは検索データであるため、ＷＤＭ装置は、検索データを更新する（ステップＳ１２０４）。たとえば、図５に示したＷＤＭ装置ｗ２の場合、ＷＤＭ装置ｗ２は、検索データＤａ（ｗ１）を検索データＤａ（ｗ２）に更新することになる。
【００６７】
そして、ＷＤＭ装置は、更新した検索データを転送先に送信する（ステップＳ１２０５）。たとえば、図５に示したＷＤＭ装置ｗ２の場合、ＷＤＭ装置ｗ２は、検索データＤａ（ｗ２）を転送先であるＷＤＭ装置ｗ３に送信する。
【００６８】
また、ＷＤＭ装置は、更新した検索データから回答データを生成する（ステップＳ１２０６）。具体的には、たとえば、ＷＤＭ装置は、更新した検索データに光波長情報を付加することにより回答データを生成する。たとえば、図５に示したＷＤＭ装置ｗ２の場合、ＷＤＭ装置ｗ２は、検索データＤａ（ｗ２）の送受識別フラグを「受」に設定し、かつ、光波長情報を付加することにより、回答データＤｂ（ｗ２）を生成する。
【００６９】
このあと、ＷＤＭ装置は、生成した回答データを転送元のＷＤＭ装置に送信する（ステップＳ１２０７）。転送元のＷＤＭ装置は、検索データを送信してきたＷＤＭ装置である。また、ステップＳ１２０３において、受信した伝送データの送受種別フラグが「受」である場合、伝送データは回答データである。したがって、ＷＤＭ装置は、転送元のＷＤＭ装置からの回答データを転送先のＷＤＭ装置に送信する（ステップＳ１２０８）。たとえば、図５に示したＷＤＭ装置ｗ２の場合、ＷＤＭ装置ｗ２は、転送元となるＷＤＭ装置ｗ３から回答データＤｂ（ｗ３）、Ｄｂ（ｗ４）を受信すると、転送先であるＷＤＭ装置ｗ１に送信する。これにより、検索要求先のデータ処理（ステップＳＮ１３）を終了する。
【００７０】
＜管理装置Ｍのデータベースの記憶内容＞
図１３は、管理装置Ｍのデータベースの記憶内容例を示す説明図である。データベース１３００は、管理装置Ｍのメモリやハードディスクなどの記憶装置に格納される。データベース１３００は、経路ＩＤ項目と、経路情報（光波長情報）項目と、を有し、伝送経路ごとにレコードを構成する。経路ＩＤ項目には、経路ＩＤが格納される。経路ＩＤとは、伝送経路を特定する識別情報である。なお、本例では、経路ＩＤの末尾のアルファベットにより時計回りと反時計回りを示す。「ａ」が時計回りの伝送経路であり、「ｂ」が反時計回りの伝送経路である。
【００７１】
経路情報（光波長情報）項目には、経路情報と光波長情報が格納される。経路情報とは、伝送経路を構成する一連のＷＤＭ装置の識別情報列である。図１３では、ＷＤＭ装置の識別情報として、ＷＤＭ装置に付した符号を用いる。経路情報において、左端の識別情報により特定されるＷＤＭ装置は、伝送経路の検索要求を受け付けたＷＤＭ装置、すなわち、伝送経路の始点となるＷＤＭ装置である。また、右端の識別情報により特定されるＷＤＭ装置は、伝送経路の末端となるＷＤＭ装置である。
【００７２】
また、経路情報において、各々隣の識別情報により特定されるＷＤＭ装置は、接続相手のＷＤＭ装置である。また、カッコ内の情報は、そのＷＤＭ装置の光波長情報である。ＷＤＭ装置では、同一波長のデータが伝送される。たとえば、伝送経路Ｒ２ａは、光波長λ＝２となるデータを伝送する経路である。したがって、伝送経路Ｒ２ａの末端となるＷＤＭ装置ｗ６に接続されるＷＤＭ装置ｗ７では、光波長λ＝２では、伝送しないことがわかる。
【００７３】
図１４は、管理装置Ｍのデータベース１３００の更新内容例を示す説明図である。図１４に示した更新内容は、図１３に示した記憶内容からの更新例である。本実施例では、図６に示した検索結果である伝送経路Ｒ１ａが、データベース１３００の経路ＩＤ：Ｒ１ａのレコードに反映される。図６の検索結果の伝送経路Ｒ１ａは、ｗ１⇒ｗ２⇒ｗ３⇒ｗ４であるため、ＷＤＭ装置ｗ４まで検索データが伝送され、ＷＤＭ装置ｗ５には到達しなかったことがわかる。したがって、図１３の経路ＩＤ：Ｒ１ａのレコードの「ｗ５（λ５＝１）」が消去される。
【００７４】
なお、図１３の経路ＩＤ：Ｒ１ａのレコードのｗ６（λ６＝１）、ｗ７（λ７＝１）、ｗ８（λ８＝１）については、ＷＤＭ装置ｗ４、ｗ５間の時計回りの光ケーブルが正常であれば、伝送されるのか否か不明であるため、図１３の状態のままとする。
【００７５】
また、本実施例では、図８に示した検索結果である伝送経路Ｒ１ｂが、データベース１３００の経路ＩＤ：Ｒ１ｂのレコードに反映される。図８の検索結果の伝送経路Ｒ１ｂは、図１３と同様、ｗ１⇒ｗ８⇒ｗ７⇒…⇒ｗ３⇒ｗ２であるが、ＷＤＭ装置ｗ７の光波長λ７の値が異なる。このため、図８の検索結果の伝送経路Ｒ１ｂにより、ＷＤＭ装置ｗ７の光波長λ７は、λ７＝３からλ７＝１に更新される。このように、誤入力された情報についても、本実施例の検索により正しい値に更新されることになる。
【００７６】
なお、上述した実施例では、図１に示したようにリング状のネットワークについての適用例を示したが、リング状に限らず、非リング状のネットワークについても適用可能である。また、ＷＤＭ装置によるネットワークの応用例として、Ｂａｃｋ  ｔｏ  Ｂａｃｋ接続がある。Ｂａｃｋ  ｔｏ  Ｂａｃｋ接続とは、複数のネットワークどうしを接続する接続方式である。
【００７７】
具体的には、Ｂａｃｋ  ｔｏ  Ｂａｃｋ接続では、一方のネットワーク内のあるＷＤＭ装置内の光電変換部と、他方のネットワーク内のあるＷＤＭ装置内の光電変換部と、を、光ケーブルまたは電気的なケーブルにより直接接続される。なお、図１３および図１４に示したデータベース１３００の記憶内容は、管理装置Ｍのディスプレイに表示することができる。
【００７８】
図１５は、Ｂａｃｋ  ｔｏ  Ｂａｃｋ接続となるネットワーク接続例を示す説明図である。図１５では、図１に示したネットワークＮ１と、別のネットワークＮ２と、をＢａｃｋ  ｔｏ  Ｂａｃｋ接続したネットワークＮが示される。ネットワークＮ２のＷＤＭ装置ｗ９、ｗ１０は、光波長の異なる複数の信号を多重化して接続先のＷＤＭ装置や例えばＬＡＮなどの下位ネットワークｎ９、ｎ１０に伝送する伝送装置である。
【００７９】
図１５のネットワークＮでは、ＷＤＭ装置ｗ６とＷＤＭ装置ｗ９とが、ケーブル１５０１，１５０２によりＢａｃｋ  ｔｏ  Ｂａｃｋ接続される。ケーブル１５０１は、ＷＤＭ装置ｗ６からＷＤＭ装置ｗ９に伝送するケーブルであり、ケーブル１５０２は、ＷＤＭ装置ｗ９からＷＤＭ装置ｗ６に伝送するケーブルである。
【００８０】
これにより、ＷＤＭ装置Ｗｗ１からの時計回りの伝送経路Ｒ１ａでは、伝送データがＷＤＭ装置ｗ６に到達すると、伝送データは、ケーブル１５０１によりＷＤＭ装置ｗ９に転送され、終端となるＷＤＭ装置ｗ１０に到達する。同様に、ＷＤＭ装置Ｗｗ１からの反時計回りの伝送経路Ｒ１ｂでは、伝送データがＷＤＭ装置ｗ６に到達すると、伝送データは、ケーブル１５０１によりＷＤＭ装置ｗ９に転送され、終端となるＷＤＭ装置ｗ１０に到達する。なお、図１５では図示は省略されているが、管理装置Ｍは、ＷＤＭ装置ｗ１〜ｗ１０に接続されているものとする。
【００８１】
また、ＷＤＭ装置ｗ１０を始点とした場合、ｗ１０⇒ｗ９⇒ｗ６⇒ｗ７⇒ｗ８⇒ｗ１⇒ｗ２⇒ｗ３⇒ｗ４⇒ｗ５⇒ｗ６という伝送経路と、ｗ１０⇒ｗ９⇒ｗ６⇒ｗ５⇒ｗ４⇒ｗ３⇒ｗ２⇒ｗ１⇒ｗ８⇒ｗ７⇒ｗ６という伝送経路と、が設定可能である。
【００８２】
図１６は、図１５に示したＷＤＭ装置ｗ６、ｗ９のハードウェア構成例を示すブロック図である。なお、図２に示した構成と同一構成については同一符号を付し、その説明を省略する。ＷＤＭ装置ｗ６、ｗ９では、複数の光電変換部２０５のうちある光波長の光電変換部２０５０と、光電変換部２０５０と同一の光波長である光電変換部２０６０とがケーブル１６０１，１６０２で接続される。そして、図１５に示したケーブル１５０１はケーブル１６０１に接続され、ケーブル１５０２はケーブル１６０２に接続される。
【００８３】
図１７は、図１６に示した光電変換部２０５０、２０６０の詳細なハードウェア構成例を示すブロック図である。なお、図３に示した構成と同一構成には同一符号を付し、その説明を省略する。光電変換部２０５０と光電変換部２０６０では、インターフェースとインターフェースとがケーブル１６０１，１６０２により接続される。
【００８４】
Ｂａｃｋ  ｔｏ  Ｂａｃｋ接続においては、自動で光波長の設定ができない。すなわち、管理装置Ｍからの指示により光波長が設定できない。したがって、Ｂａｃｋ  ｔｏ  Ｂａｃｋ接続では、人手にて光波長の機器構成を決め、人手にて伝送経路が設定される。このため、伝送経路の経路情報は、人手により管理されるため、データの誤入力や修正漏れが発生する。
【００８５】
しかしながら、本実施例では、検索データをネットワークに流すことにより伝送経路の経路情報および光波長情報が得られるため、Ｂａｃｋ  ｔｏ  Ｂａｃｋ接続においても、同様に、経路情報および光波長情報を自動で検索することができる。したがって、データの誤入力や修正漏れがあっても正しい情報に更新することができる。
【００８６】
以上に説明したように、本発明の実施例によると、ネットワークの接続構成がループ、非ループ、または、Ｂａｃｋ  ｔｏ  Ｂａｃｋであっても、伝送経路を自動検索することができる。したがって、人手により光波長の設定をＷＤＭ装置に対しておこなうことによる伝送経路の経路情報の誤入力や修正漏れがあっても、検索結果として得られる伝送経路の経路情報に更新することができる。これにより、現状の伝送経路の経路情報を自動的に収集することができ、管理者は、ネットワークがどのような接続状況であるかを確認することができる。このため、どのＷＤＭ装置間で伝送が遮断されているかを把握することができる。
【００８７】
また、本実施例によれば、伝送経路の経路情報とともに、伝送経路を構成する各ＷＤＭ装置の光波長情報も収集することができる。したがって、人手により光波長の設定をＷＤＭ装置に対しておこなうことによる光波長情報の誤入力や修正漏れがあっても、検索結果として得られる伝送経路を構成する各ＷＤＭ装置の光波長情報に更新することができる。これにより、現状の伝送経路を構成する各ＷＤＭ装置の光波長情報を自動的に収集することができ、管理者は、伝送経路がどの光波長で伝送されるかを確認することができる。
【００８８】
また、検索要求を受け付けたＷＤＭ装置が、検索したい伝送経路の始点となるため、ユーザは、始点となるＷＤＭ装置を指定するだけで、所望の伝送経路の経路情報を得ることができる。
【００８９】
また、回答データを収集するための所定時間Ｔは、あらたに回答データが受信されるとリセットされる。そして、あらたに回答データが受信されないまま所定時間Ｔが経過すると、回答データの収集が終了し、管理装置Ｍに送ることになるため、回答データの自動回収を実現することができる。すなわち、所定時間Ｔを経過しても回答データが受信できなかった場合、そのＷＤＭ装置には検索データが到達していないとみなす。したがって、検索された現状の伝送経路においてどのＷＤＭ装置が伝送経路の終端であるかを自動的に確認することができる。
【００９０】
なお、上述した実施例では、伝送装置の一例としてＷＤＭ装置を例に挙げて説明したが、ＷＤＭ装置には限られない。
【００９１】
以上、本発明を添付の図面を参照して詳細に説明したが、本発明はこのような具体的構成に限定されるものではなく、添付した請求の範囲の趣旨内における様々な変更及び同等の構成を含むものである。
【符号の説明】
【００９２】
２０１，２０２  光分波器
２０３，２０４  光合波器
２０５，２０６  光電変換部
２０７  制御部
３０５，３０６  データ処理部
９０１  第１の受信部
９０２  検索データ生成部
９０３  第１の送信部
９０４  回答データ生成部
９０５  第２の送信部
９０６  第２の受信部
９０７  判定部
９０８  第３の送信部
１３００  データベース
２０５０  光電変換部
２０６０  光電変換部
Ｄａ  検索データ
Ｄｂ  回答データ
Ｍ  管理装置
ｗ  ＷＤＭ装置
【図１】
2014132715.tif 000003
【図２】
2014132715.tif 000004
【図３】
2014132715.tif 000005
【図４】
2014132715.tif 000006
【図６】
2014132715.tif 000007
【図８】
2014132715.tif 000008
【図９】
2014132715.tif 000009
【図１０】
2014132715.tif 000010
【図１１】
2014132715.tif 000011
【図１２】
2014132715.tif 000012
【図１３】
2014132715.tif 000013
【図１５】
2014132715.tif 000014
【図１６】
2014132715.tif 000015
【図１７】
2014132715.tif 000016
【図５】
2014132715.tif 000017
【図７】
2014132715.tif 000018
【図１４】
2014132715.tif 000019